(57)【要約】　　　（修正有）【課題】通常遊技を邪魔しないように、なおかつゲーム進行をする上で、必要な情報をすぐ取り出せ、見た目にもお洒落さと華やかさを提供する。【解決手段】回胴スタートレバーボール部通し穴７を通し、本体を下にずらして落下防止しぼり６を通過させ、回胴スタートレバー軸通し穴５に合わせて抜け落ち防止をさせ、かつ、ガイドブック挿入ポケット８にガイドブックを挿入することによって、上部に跳ね上がることも防止でき、ポケットにガイドブックが１〜２冊程度挿入できるようにすることでガイドブックの開き防止になり、また、ポケット前面にパチスロ機種名等を印字できるようにし、デザイン性と収納性に優れたことを特徴とする。【選択図】　　図２
0003098155.tif 000002
【実用新案登録請求の範囲】
【請求項１】
回胴式遊技機（パチスロ）のガイドブックを収納するケースを、パチスロの回胴スタートレバー等に取り付け（掛けられ）るようにしたもの。
【考案の詳細な説明】
この考案は、回胴式遊技機（パチスロ）のガイドブックを収納するケースに関するものである。
従来、ガイドブックは必要な時に店員にお願いして持って来てもらったり、まとめて置いてある所にわざわざ取りに行かなくてはならないもので、また、持って来た後もパチスロ台の周りに置く場所がなく、逆に邪魔になるものであった。本考案はその欠点を除くためになされたもので、これを図面について説明すれば、パチスロ本体（１）の回胴スタートレバー（２）にガイドブックケース（３）を取り付け、ガイドブック（４）を入れたものである。落下防止しぼり（６）をつけることで、ガイドブックを出し入れする際にケース自体がパチスロから落下することを防止できる。本考案は、このような構造であるから遊技に対して邪魔にならず、すぐ取り出せ、また、パチスロ台自体が華やかになるものである。
【図面の簡単な説明】
【図１】本考案の使用中の斜視図である。
【図２】本考案の正面図である。
【図３】本考案の斜視図である。
【符号の説明】
１　パチスロ台
２　回胴スタートレバー
３　ガイドブックケース
４　ガイドブック
５　回胴スタートレバー軸通し穴
６　落下防止しぼり
７　回胴スタートレバーボール部通し穴
８　ガイドブック挿入ポケット（パチスロ機種名印字面）
【図１】
0003098155.tif 000003
【図２】
0003098155.tif 000004
【図３】
0003098155.tif 000005
【手続補正書】
【提出日】平成15年7月4日(2003.7.4)
【手続補正１】
【補正対象書類名】明細書
【補正対象項目名】全文
【補正方法】変更
【補正の内容】
【考案の詳細な説明】
【実用新案登録請求の範囲】
【請求項１】下方部に袋状のポケット部と、上方部には、第１開口部と、この第１開口部よりも小径で前記第１開口部よりも上方に配設され、連結部を介して連結された第２開口部とを備え、
前記連結部は前記第１開口部と第２開口部よりも小径の間隔を有し、回胴式遊技機の回胴スタートレバーを前記第１開口部に通し、前記連結部を通した後、前記第２開口部に収容させるとともに、前記ポケット部に前記回胴式遊技機のガイドブックを収納するような構造を有するとともに、前記ポケット部表面には当該回胴式遊技機の機種情報が記載されていることを特徴とする回胴式遊技機のガイドブック収納ケース。
【考案の詳細な説明】
【考案の属する技術分野】
【０００１】
本考案は、回胴式遊技機（パチスロ）のガイドブック収納ケースに関し、特にパチスロに適用して有用な回胴式遊技機（パチスロ）のガイドブック収納ケースに関する。
【０００２】
【従来の技術】
回胴式遊技機、いわゆるパチスロは、ディスプレイに表示される画像態様が各パチスロ機種によってそれぞれ異なり、また特別なタイミングでの操作も要求されることが多い。そのため、店には、パチスロ機種に応じた規則や攻略法が掲載されているガイドブックが用意されており、希望に応じて客に配布される。
【０００３】
【考案が解決しようとする課題】
上述のように、通常、パチスロ機の種類に応じて必要な規則や攻略法が掲載されたガイドブックが、店に用意され、客の要請により配布されている。一方、店から配布されたガイドブックを受け取った客は、当該ガイドブックを読んでしまえば、とりあえず手放しておいて良いが、必要なときにはすぐに取り出して読めるような状態におくことが望ましい。しかしながら、パチスロ台は近接して設置されることが多く、また、ガイドブックを置けるような余分なスペースもなく、ガイドブックが逆に邪魔になってしまうという問題があった。
【０００４】
本考案は、上述の事情に鑑みて為されたもので、その目的は、客の邪魔にならずパチスロ台に簡単に一時的に係止可能な回胴式遊技機（パチスロ）のガイドブック収納ケースを提供することにある。
【０００５】
【課題を解決するための手段】
前述の課題を解決するため、本考案による回胴式遊技機のガイドブック収納ケースは、下方部に袋状のポケット部と、上方部には、第１開口部と、この第１開口部よりも小径で前記第１開口部よりも上方に配設され、連結部を介して連結された第２開口部とを備え、前記連結部は前記第１開口部と第２開口部よりも小径の間隔を有し、回胴式遊技機の回胴スタートレバーを前記第１開口部に通し、前記連結部を通した後、前記第２開口部に収容させるとともに、前記ポケット部に前記回胴式遊技機のガイドブックを収納するような構造を有するとともに、前記ポケット部表面には当該回胴式遊技機の機種情報が記載されている。
【０００６】
【考案の実施の形態】
以下、本考案による回胴式遊技機（パチスロ）のガイドブック収納ケースの好適実施形態例を添付図を参照して詳細に説明する。
【０００７】
図１は本考案の一実施形態による回胴式遊技機（パチスロ）のガイドブック収納ケースをパチスロ台に適用した例を示す斜視図である。また、図２と図３は本考案による回胴式遊技機（パチスロ）のガイドブック収納ケースの正面図と斜視図である。
【０００８】
図１〜３を参照すると、本実施形態では、パチスロ台１の回胴スタートレバー２に本考案の回胴式遊技機（パチスロ）のガイドブック収納ケース３を取り付けてぶら下げ、このガイドブック収納ケース３の中にガイドブック４を収納する。こうすることにより店から配布されたパチスロの規則や攻略法が掲載されているガイドブック４の置き場所に困ることもなく、プレイすることができる。
【０００９】
図を参照してより具体的に説明すると、本考案による回胴式遊技機（パチスロ）のガイドブック収納ケースの３下方部には袋状のガイドブック挿入ポケット８を有し、上方部には第１の径の第１開口部としての回胴スタートレバーボール部通し穴７が形成され、この回胴スタートレバーボール部通し穴７の上部には回胴スタートレバーボール部通し穴７の径よりも小径の第２の開口部としての回胴スタートレバー軸通し穴５が形成されている。
【００１０】
回胴スタートレバーボール部通し穴７と回胴スタートレバー軸通し穴５との間は両者の穴を連結し、いずれの穴の径よりも小さい間隔をもつ落下防止しぼり６が形成されている。
【００１１】
回胴スタートレバー軸通し穴５の径は、パチスロに設けられた回胴スタートレバーの軸よりも若干大きく設定され、回胴スタートレバーボール部通し穴７の径は回胴スタートレバー２の正面から見た径よりも若干大きく設定されている。
【００１２】
上記回胴スタートレバー２に回胴スタートレバーボール部通し穴７を通し、連結部としての落下防止しぼり６を通した後、回胴スタートレバー軸通し穴５内に収容させる。こうすることにより、抜け落ちが防止され、ガイドブック挿入ポケット８内にガイドブック４を少なくとも一冊（複数冊）収納することができ、ガイドブック４の開き防止効果も得られる。上記のようなガイドブック挿入ポケット８の表面には当該パチスロ機種情報が印字されている。
【００１３】
以上、本考案の回胴式遊技機（パチスロ）のガイドブック収納ケースの好適実施形態例を説明したが、これは単なる例示にすぎず、特定用途に応じて種々の変形変更が可能であることは勿論である。
【００１４】
【考案の効果】
上述の如く、本考案の回胴式遊技機（パチスロ）のガイドブック収納ケースによれば、客のパチスロ操作上、邪魔にならずにガイドブックを収納、載置でき、パチスロ台の回胴スタートレバーへの取り付け時の落下も防止でき、デザイン性と収納性にも優れるという格別顕著な効果が得られる。
【図面の簡単な説明】
【図１】図１は本考案の一実施形態による回胴式遊技機（パチスロ）のガイドブック収納ケースをパチスロ台に適用した例を示す斜視図である。
【図２】本考案による回胴式遊技機（パチスロ）のガイドブック収納ケースの正面図である。
【図３】本考案による回胴式遊技機（パチスロ）のガイドブック収納ケースの斜視図である。
【符号の説明】
１　　　パチスロ台
２　　　回胴スタートレバー
３　　　回胴式遊技機（パチスロ）のガイドブック収納ケース
４　　　ガイドブック
５　　　回胴スタートレバー軸通し穴
６　　　落下防止しぼり
７　　　回胴スタートレバーボール部通し穴
８　　　ガイドブック挿入ポケット